(57)【要約】【課題】コストや信頼性に優れた低速インタフェースを用いて広帯域音声データを転送する。【解決手段】オーディオソース装置１は、１系列の１９２Ｋｓｐｓのデジタルオーディオ信号を、送信処理部１２において、分析フィルタバンク１４によって４系列の４８ｋｓｐｓのデジタルオーディオ信号にサブバンド符号化すると共に、符号化した低レートデジタルオーディオ信号の各系列を、それぞれについて一つの低レートインタフェースを介してオーディオ処理装置２に送信する。一方、オーディオ処理装置２は、受信処理部２２において、オーディオソース装置１から４つの低レートインタフェースを介して送られた４系列の４８ｋｓｐｓのデジタルオーディオ信号から、合成フィルタバンク２５と加算器によって１系列の１９２Ｋｓｐｓのデジタルオーディオ信号を復元する。そして、オーディオ処理部２１において復元された１９２Ｋｓｐｓのデジタルオーディオ信号を処理する。【選択図】図１
2004085604.tif 000002
【特許請求の範囲】
【請求項１】
送信側オーディオ装置から受信側オーディオ装置にデジタルオーディオ信号を伝送するデジタルオーディオ信号伝送方法であって、
送信側オーディオ装置において、伝送すべきデジタルオーディオ信号を、当該デジタルオーディオ信号の周波数帯域を複数に分割した部分帯域毎のサブバンドデジタルオーディオ信号にサブバンド符号化するステップと、
送信側オーディオ装置において、サブバンドデジタルオーディオ信号を、前記デジタルオーディオ信号のデータレートよりも低速な伝送データレートを各々が有する、複数のデジタル信号伝送インタフェースを介して送信するステップと、
前記受信側オーディオ装置において、前記複数のデジタル信号伝送インタフェースを介して前記各部分帯域のサブバンドデジタルオーディオ信号を受信するステップと、
前記受信側オーディオ装置において、受信した各サブバンドデジタルオーディオ信号から前記デジタルオーディオ信号を復号するステップとを有することを特徴とするデジタルオーディオ信号伝送方法。
【請求項２】
デジタルオーディオ信号を送信する送信側オーディオ装置とデジタルオーディオ信号を受信する受信側オーディオ装置とを備えたオーディオシステムであって、
前記送信側オーディオ装置は、
デジタルオーディオ信号の周波数帯域を複数の部分帯域に分割し、各部分帯域について、当該部分帯域のデジタルオーディオ信号のサンプルレートを、当該デジタルオーディオ信号のサンプルレートよりも低いサンプルレートに変換したサブバンドデジタルオーディオ信号を生成する送信側サブバンド処理部と、
前記送信側サブバンド処理部が生成した前記各部分帯域のサブバンドデジタルオーディオ信号を、複数のデジタル信号伝送インタフェースを介して、一つのサブバンドデジタルオーディオ信号につき一つのデジタル信号伝送インタフェースを用いて送信する送信部とを有し、
前記受信側オーディオ装置は、
複数のデジタル信号伝送インタフェースを介して前記各部分帯域のサブバンドデジタルオーディオ信号を、一つのサブバンドデジタルオーディオ信号につき一つのデジタル信号伝送インタフェースを用いて受信する受信部と、
前記受信部が受信した前記各部分帯域のサブバンドデジタルオーディオ信号の各々について、当該サブバンドデジタルオーディオ信号のサンプルレートを、前記デジタルオーディオ信号のサンプルレートに変換した上で、当該サブバンドデジタルオーディオ信号に対応する部分帯域に帯域制限を施した復元サブバンドデジタルオーディオ信号を生成し、前記各部分帯域のサブバンドデジタルオーディオ信号の各々について生成した複数の復元サブバンドデジタルオーディオ信号を合成した復元デジタルオーディオ信号を生成する受信側サブバンド処理部とを有することを特徴とするオーディオシステム。
【請求項３】
請求項２記載のオーディオシステムであって、
前記デジタル信号伝送インタフェースは、ＩＥＣ　６０９５８またはＥＩＡＪ　ＣＰ　１２０１規格に準拠したインタフェースであることを特徴とするオーディオシステム。
【発明の詳細な説明】
【０００１】
【発明の属する技術分野】
本発明は、オーディオ装置間でデジタルオーディオ信号を送受する技術に関するものである。
【０００２】
【従来の技術】
オーディオ装置間でデジタルオーディオ信号を送受する技術としては、Ｓ／ＰＤＩＦやＡＥＳ／ＥＢＵとして知られるＩＥＣ　６０９５８／ＥＩＡＪ　ＣＰ　１２０１規格のインタフェースが普及している。
このインタフェースによれば、オーディオ装置間で、サンプリング周波数４４．１ｋＨｚ、４８ｋＨｚ、３２ｋＨＺのうちのいずれかのデジタルオーディオ信号を２チャンネル分送受することができる。
一方で、近年では、さらなる高音質化の要請に応え、９６ｋＨｚや１９２ｋＨｚのサンプリング周波数を用いるＤＶＤ−Ｖｉｄｅｏ／ＡｕｄｉｏやＳＡ（スーパーオーディオ）ＣＤなどのオーディオ装置が実現されている。
また、これらＩＥＣ　６０９５８／ＥＩＡＪ　ＣＰ　１２０１規格のインタフェースでは送受できないサンプリング周波数を用いるオーディオ装置間のデジタルオーディオ信号の送受に用いることができる技術としては、より高速にデータ転送が可能なＭＯＳＴ　（Ｍｅｄｉａ　Ｏｒｉｅｎｔｅｄ　ｓｙｓｔｅｍ　Ｔｒａｎｓｐｏｒｔ　）、ＩＥＥＥ　１３９４などの車載用のＬＡＮが知られている。
【０００３】
【発明が解決しようとする課題】
前記ＭＯＳＴやＩＥＥＥ　１３９４などの技術によれば高サンプリング周波数を用いるオーディオ装置間のデジタルオーディオ信号の送受を行うことができる。しかしながら、これらの高速伝送を可能とする技術を利用するコストは、ＩＥＣ　６０９５８／ＥＩＡＪ　ＣＰ　１２０１規格などの、より低速な伝送を可能とする普及した技術を利用する場合に比べ一般に大きくなる。また、熱条件などが厳しい車載環境下で充分な信頼性を保つことが比較的困難である。
【０００４】
そこで、本発明は、より低コストで、高信頼性を持って、オーディオ装置間で高サンプリング周波数のデジタルオーディオ信号の送受を実現することを課題とする。
【０００５】
【課題を解決するための手段】
前記課題達成のために、本発明は、送信側オーディオ装置から受信側オーディオ装置にデジタルオーディオ信号を伝送するデジタルオーディオ信号伝送方法を、送信側オーディオ装置において、伝送すべきデジタルオーディオ信号を、当該デジタルオーディオ信号の周波数帯域を複数に分割した部分帯域毎のサブバンドデジタルオーディオ信号にサブバンド符号化するステップと、送信側オーディオ装置において、サブバンドデジタルオーディオ信号を、前記デジタルオーディオ信号のデータレートよりも低速な伝送データレートを各々が有する、複数のデジタル信号伝送インタフェースを介して送信するステップと、前記受信側オーディオ装置において、前記複数のデジタル信号伝送インタフェースを介して前記各部分帯域のサブバンドデジタルオーディオ信号を受信するステップと、前記受信側オーディオ装置において、受信した各サブバンドデジタルオーディオ信号から前記デジタルオーディオ信号を復号するステップとを含めて構成したものである。
【０００６】
すなわち、このようなデジタルオーディオ信号伝送方法によれば、サブバンド符号化を利用して、デジタルオーディオ信号を、当該デジタルオーディオ信号の周波数帯域を分割した部分帯域毎の複数のサブバンドデジタルオーディオ信号に変換し、各サブバンドデジタルオーディオ信号を伝送する対象とするので、デジタルオーディオ信号の伝送を、デジタルオーディオ信号をそのまま伝送する場合に必要となる高速なデジタル信号伝送インタフェースに代えて、より低コストで高信頼性を有する低速なデジタル信号伝送インタフェースを複数用いて行うことが可能となる。
【０００７】
より具体的的には、このようなデジタルオーディオ信号伝送方法の適用により、オーディオシステムを、たとえば、送信側オーディオ装置に、デジタルオーディオ信号の周波数帯域を複数の部分帯域に分割し、各部分帯域について、当該部分帯域のデジタルオーディオ信号のサンプルレートを、当該デジタルオーディオ信号のサンプルレートよりも低いサンプルレートに変換したサブバンドデジタルオーディオ信号を生成する送信側サブバンド処理部と、前記送信側サブバンド処理部が生成した前記各部分帯域のサブバンドデジタルオーディオ信号を、複数のデジタル信号伝送インタフェースを介して、一つのサブバンドデジタルオーディオ信号につき一つのデジタル信号伝送インタフェースを用いて送信する送信部とを設けると共に、前記受信側オーディオ装置に、複数のデジタル信号伝送インタフェースを介して前記各部分帯域のサブバンドデジタルオーディオ信号を、一つのサブバンドデジタルオーディオ信号につき一つのデジタル信号伝送インタフェースを用いて受信する受信部と、前記受信部が受信した前記各部分帯域のサブバンドデジタルオーディオ信号の各々について、当該サブバンドデジタルオーディオ信号のサンプルレートを、前記デジタルオーディオ信号のサンプルレートに変換した上で、当該サブバンドデジタルオーディオ信号に対応する部分帯域に帯域制限を施した復元サブバンドデジタルオーディオ信号を生成し、前記各部分帯域のサブバンドデジタルオーディオ信号の各々について生成した複数の復元サブバンドデジタルオーディオ信号を合成した復元デジタルオーディオ信号を生成する受信側サブバンド処理部とを設けたものとして構成することができる。
【０００８】
ここで、このようなオーディオシステムにおける前記デジタル信号伝送インタフェースは、たとえば、広く普及している、ＩＥＣ　６０９５８またはＥＩＡＪ　ＣＰ　１２０１規格に準拠したインタフェースを用いることができる。
【０００９】
【発明の実施の形態】
以下、本発明の実施形態について説明する。
図１に本実施形態に係るオーディオシステムの構成を示す。
図示するように、本オーディオシステムはデジタルオーディオ信号の送信元となるオーディオソース装置１と、デジタルオーディオ信号の送信先となるオーディオ処理装置２とを有する。ここで、オーディオソース装置１は、たとえば、ＤＶＤ−Ｖｉｄｅｏ再生装置やＤＶＤ−Ａｕｄｉｏ再生装置やＳＡＣＤ再生装置やＭＤ再生装置などであり、オーディオ処理装置２は、たとえば、オーディオアンプや録音装置などである。本実施形態では、このようなオーディオシステムにおいて、１９２ｋＨｚのサンプリング周波数でサンプリングされたデジタルオーディオ信号を送受する場合を例にとり説明する。
【００１０】
さて、オーディオソース装置１は、１９２ｋＨｚのサンプリング周波数でサンプリングされた１９２Ｋｓｐｓ（サンプルパーセカンド）のデジタルオーディオ信号を出力するオーディオソース部１１、デジタルオーディオ信号の送信処理を担う送信処理部１２、オーディオソース装置１の制御を担うオーディオ制御部１３とを有する。
【００１１】
一方、オーディオ処理装置２は、１９２Ｋｓｐｓのデジタルオーディオ信号の処理を行うオーディオ処理部２１と、デジタルオーディオ信号の受信処理を行う受信処理部２２と、オーディオ処理装置２とオーディオソース装置１の制御を行う主制御部２３を有している。
【００１２】
このような構成において、オーディオ処理装置２の主制御部２３とオーディオソース装置１のオーディオ制御部１３とは制御信号を送受するための制御線３１で接続されている。また、オーディオソース装置１の送信処理部１２と、オーディオ処理装置２の受信処理部２２とは、各々４８ｋｓｐｓのデジタルオーディオ信号を送受することのできる４つのインタフェースにより接続されている。物理的には、オーディオソース装置１の送信処理部１２とオーディオ処理装置２の受信処理部２２とは、４つの信号線３２により接続されている。ここで、この４８ｋｓｐｓのデジタルオーディオ信号を送受することのできるインタフェースを、以下では、便宜上「低レートインタフェース」と記す。なお、この低レートインタフェースとしては、ＩＥＣ　６０９５８／ＥＩＡＪ　ＣＰ　１２０１規格に準拠したＳ／ＰＤＩＦやＡＥＳ／ＥＢＵのインタフェースを用いることができる。
【００１３】
さて、こオーディオソース装置１は、１系列の１９２Ｋｓｐｓのデジタルオーディオ信号を、送信処理部１２において、より低レートの４系列の４８ｋｓｐｓのデジタルオーディオ信号に変換し、変換した４８ｋｓｐｓデジタルオーディオ信号の各系列を、それぞれ、一つの低レートインタフェースを介してオーディオ処理装置２に送信する。一方、オーディオ処理装置２は、受信処理部２２において、オーディオソース装置１から４つの低レートインタフェースを介して送られた４系列の４８ｋｓｐｓのデジタルオーディオ信号から１系列の１９２Ｋｓｐｓのデジタルオーディオ信号を復元し、オーディオ処理部２１において処理する。
【００１４】
以下、このような１系列の１９２Ｋｓｐｓのデジタルオーディオ信号の４系列の４８ｋｓｐｓのデジタルオーディオ信号への変換と、４系列の４８ｋｓｐｓのデジタルオーディオ信号から１系列の１９２Ｋｓｐｓのデジタルオーディオ信号への復元の詳細について説明する。
【００１５】
まず、オーディオソース装置１の送信処理部１２において行われる１系列の１９２Ｋｓｐｓのデジタルオーディオ信号の４系列の４８ｋｓｐｓのデジタルオーディオ信号への変換について説明する。
図示するように、送信処理部１２は、サブバンド符号化部１５とデジタルインタフェース送信部（ＤＩＦ−Ｔ）１６との組を、低レートインタフェースに対応して４系統備えている。また、４系統のサブバンド符号化部１５は、サブバンド符号化における分析フィルタバンク１４を構成している。
【００１６】
サブバンド符号化部１５とデジタルインタフェース送信部１６との組の各系統には、それぞれ、０−２４ｋＨｚの音声帯域、２４−４８ＫＨｚの音声帯域、４８−７２ＫＨｚの音声帯域、７２−９６ＫＨｚの音声帯域の処理が割り当てられている。すなわち、１９２Ｋｓｐｓのデジタルオーディオ信号が持つ０−９６ｋＨｚの音声帯域が均等に４分割され、分割された音声帯域のそれぞれが、各系統のサブバンド符号化部１５とデジタルインタフェース送信部１６の組に、排他的に割り当てられている。
【００１７】
０−２４ｋＨｚの音声帯域が割り当てられた系統のサブバンド符号化部１５は、０−２４ｋＨｚのバンドパスフィルタ１５１（ローパスフィルタ）と、バンドパスフィルタから出力されるデジタルオーディオ信号のサンプルレートを１９２Ｋｓｐｓから４８ｓｐｓにダウンサンプリングするダウンサンプリング部１５２とを有する。そして、２４−４８ＫＨｚの音声帯域が割り当てられた系統のサブバンド符号化部１５は、２４−４８ｋＨｚのバンドパスフィルタ１５１と、バンドパスフィルタ１５１から出力されるデジタルオーディオ信号のサンプルレートを１９２Ｋｓｐｓから４８ｓｐｓにダウンサンプリングするダウンサンプリング部１５２とを有する。また、４８−７２ＫＨｚの音声帯域が割り当てられた系統のサブバンド符号化部１５は、４８−７２ｋＨｚのバンドパスフィルタ１５１と、バンドパスフィルタ１５１から出力されるデジタルオーディオ信号のサンプルレートを１９２Ｋｓｐｓから４８ｓｐｓにダウンサンプリングするダウンサンプリング部１５２とを有する。そして、同様に、７２−９６ＫＨｚの音声帯域が割り当てられた系統のサブバンド符号化部１５は、７２−９６ｋＨｚのバンドパスフィルタ１５１と、バンドパスフィルタ１５１から出力されるデジタルオーディオ信号のサンプルレートを１９２Ｋｓｐｓから４８ｓｐｓにダウンサンプリングするダウンサンプリング部１５２とを有する。
【００１８】
さて、各系統において、このようにサブバンド符号化部１５によって、シャノン（Ｓｈａｎｎｏｎ）の標本化定理に従って復元可能なように、帯域制限とサンプルレートの変換がなされた４８ｋｓｐｓのデジタルオーディオ信号は、デジタルインタフェース送信部１６に送られる。
【００１９】
さて、デジタルインタフェース送信部１６は、フレーミング部１６１と送信部１６２よりなる。
フレーミング部１６１は、サブバンド符号化部１５から入力する４８ｋｓｐｓのデジタルオーディオ信号を、低レートインタフェースのフォーマットにフレーミングする。
具体的には、低レートインタフェースとして、ＩＥＣ　６０９５８／ＥＩＡＪ　ＣＰ　１２０１規格に準拠したＳ／ＰＤＩＦやＡＥＳ／ＥＢＵのインタフェースを用いる場合には、図２ａに示すフォーマットで４８ｋｓｐｓのデジタルオーディオ信号をフレーミングする。
ここで図示するように、このフォーマットでは、ブロックの列として信号が伝送される。各ブロックは１９２のフレームからなり、各フレームは２つのサブフレームからなる。そして、各サブフレームは、同期やクロック抽出に用いるプリアンブル、デジタルオーディオ信号が１サンプル格納されるＡｕｄｉｏ　Ｄａｔａ、Ａｕｄｉｏ　Ｄａｔａの補助情報が格納されるＡＵＸ、送信元がエラー表示を行うためのバリッドビットＶ、ユーザ情報を伝送するためのユーザデータビットＵ、パリティビットＰを有している。
【００２０】
ここで、１ブロック分のチャネルステータスビットＣは、図２ｂに示すように、チャネルステータス情報を構成する。チャネルステータス情報は、民生用（Ｓ／ＰＤＩＦ）と業務用（ＡＥＳ／ＥＢＵ）の区別を示すタイプ、オーディオデータ／非オーディオデータの区別を示すデータタイプ、著作権保護の有無を示す著作権保護、プリエンファシスの有無を示すプリエンファシス、オーディオデジタル信号のチャネル数、当面００固定とされるモード、オーディオソースの種別を示すカテゴリコード、オーディオソース番号、チャネル番号、サンプリングレート、クロック精度の表示などを含む。
【００２１】
ここで、フレーミング部１６１は、入力する４８ｋｓｐｓのデジタルオーディオ信号を、通常の４８ｋｓｐｓのデジタルオーディオ信号として取り扱って各フレームの一方のサブフレームに１サンプルづつ格納し、チャネルステータス情報には、オーディオ制御部１３から指定された情報等を格納する。
【００２２】
さて、このように低レートインタフェースのフォーマットに従ってフレーミングされたデジタルオーディオ信号は、送信部１６２より、低レートインタフェースを介してオーディオ処理装置２に送信される。
一方、オーディオ処理装置２において、受信処理部２２は、図１に示すように、デジタルインタフェース受信部（ＤＩＦ−Ｒ）２７とサブバンド復元部２６の組を、４つの低レートインタフェースに対応して４系統備えている。また、オーディオ処理装置２の受信処理部２２は、各系統のサブバンド復元部２６から出力されるデジタルーオーディオ信号を加算する加算部２４を備えている。そして、４つのサブバンド復元部２６は、サブバンド符号化における合成フィルタバンク２５を構成している。
【００２３】
デジタルインタフェース受信部２７とサブバンド復元部２６との組よりなる各系統には、それぞれ、０−２４ｋＨｚの音声帯域、２４−４８ＫＨｚの音声帯域、４８−７２ＫＨｚの音声帯域、７２−９６ＫＨｚの音声帯域の処理が、排他的に割り当てられており、各系統のデジタルインタフェース受信部２７は、オーディオソース装置１において同音声帯域が割り当てられたデジタルインタフェース送信部１６が接続する低レートインタフェースに接続している。
【００２４】
さて、各デジタルインタフェース受信部２７は受信部２７１とデフレーミング部２７２からなる。各系統において、受信部２７１は対応する低レートインタフェースから受信したフレーミングされたデジタルオーディオ信号をデフレーミング部２７２に送り、デフレーミング部２７２は、フレーミングされたデジタルオーディオ信号の各フレームのサブフレームからデジタルオーディオ信号を抽出し、４８ｋｓｐｓのデジタルオーディオ信号に復元して、サブバンド復元部２６に送る。
【００２５】
ここで、図示するように０−２４ｋＨｚの音声帯域が割り当てられた系統のサブバンド復元部２６は、デジタルオーディオ信号のサンプルレートを４８ｓｐｓから１９２Ｋｓｐｓにアップサンプリングするアップサンプリング部２６１と、アップサンプリング部２６１が出力するデジタルーオーディオ信号の音声帯域制限を行う０−２４ｋＨｚのバンドパスフィルタ１５１とを有する。そして、２４−４８ＫＨｚの音声帯域が割り当てられた系統のサブバンド復元部２６は、デジタルオーディオ信号のサンプルレートを４８ｓｐｓから１９２Ｋｓｐｓにアップサンプリングするアップサンプリング部２６１と、アップサンプリング部２６１が出力するデジタルーオーディオ信号の音声帯域制限を行う２４−４８ｋＨｚのバンドパスフィルタ１５１とを有する。また、４８−７２ＫＨｚの音声帯域が割り当てられた系統のサブバンド復元部２６は、デジタルオーディオ信号のサンプルレートを４８ｓｐｓから１９２Ｋｓｐｓにアップサンプリングするアップサンプリング部２６１と、アップサンプリング部２６１が出力するデジタルーオーディオ信号の音声帯域制限を行う４８−７２ｋＨｚのバンドパスフィルタ１５１とを有する。また、７２−９６ＫＨｚの音声帯域が割り当てられた系統のサブバンド復元部２６は、デジタルオーディオ信号のサンプルレートを４８ｓｐｓから１９２Ｋｓｐｓにアップサンプリングするアップサンプリング部２６１と、アップサンプリング部２６１が出力するデジタルーオーディオ信号の音声帯域制限を行う７２−９６ｋＨｚのバンドパスフィルタ１５１とを有する。
【００２６】
なお、ここで、各アップサンプリング部２６１によるアップサンプリングは、４８ｓｐｓの各サンプルの間に所要数の値０のサンプルを挿入することにより行われる。
さて、各系統において、このようにしてサブバンド復元部２６によってサンプルレートが変換がなされた１９２ｋｓｐｓのデジタルオーディオ信号は、加算部２４に送られ加算され、１９２ｋｓｐｓ、０−９６ｋＨｚの音声帯域のデジタル音声信号としてデジタルオーディオ処理部に送られ、処理される。
【００２７】
以上、本発明の実施形態について説明した。
なお、以上では、説明の明瞭化のために１チャネルのデジタルオーディオ信号をオーディオソース装置１からオーディオ処理装置２に伝送する場合を例にとり説明したが、本実施形態は複数チャネルのデジタルオーディオ信号を伝送する場合にも同様に適用可能である。すなわち、たとえば、以上の実施形態において、ＩＥＣ　６０９５８／ＥＩＡＪ　ＣＰ　１２０１規格に準拠したＳ／ＰＤＩＦやＡＥＳ／ＥＢＵなどの２チャネルの４８ｋｓｐｓデジタルオーディオ信号を伝送することのできる低レートインタフェースを用いて、２チャネルの１９２Ｋｓｐｓデジタルオーディオ信号を伝送する場合には、オーディオソース装置１に分析フィルタバンク１４を各チャネルに対応して１つづつの計２つ設けて、それぞれの分析フィルタでそれぞれ対応するチャネルについての処理を行い、２つの分析フィルタの同系統のサブバンド符号化部１５の出力を、当該系統のデジタルインタフェース送信部１６から、当該系統の低レートインタフェースに送信するようにする。また、オーディオ処理装置２においては、加算部２４と合成フィルタバンク２５とを各チャネルに対応して１つづつの計２つ設け、各合成フィルタバンク２５で、対応するチャネルについて、各デジタルインタフェース送信部１６から出力されるデジタルオーディオ信号の処理を行い、各加算部２４で、対応するチャネルに対応する合成フィルタバンク２５の出力を加算して出力するようにする。
【００２８】
さて、以上のように、本実施形態では、デジタルオーディオ信号の送信側では、高サンプリング周波数でサンプリングされた広い音声帯域を持つデジタルオーディオ信号の周波数成分を、複数の音声帯域に分割してダウンサンプリングする。そして、こうして得られた複数の低サンプリング周波数のデジタルオーディオ信号を、複数の低レートインタフェースを介して送信する。一方、デジタルオーディオ信号の受信側では、複数の低レートインタフェースを介して受信した各低サンプリング周波数のデジタルオーディオ信号のそれぞれを、アップサンプリングして加算することにより、送信側で分割した音声帯域を統合し、高サンプリング周波数の広い音声帯域を持つデジタル音声信号を復元する。
【００２９】
すなわち、本実施形態によれば、サブバンド符号化技術を利用することにより、高サンプリング周波数でサンプリングされたデジタルオーディオ信号を、より低いサンプリング周波数のデジタルオーディオ信号しか伝送できない低レートインタフェースを複数用いて送受することができるようになる。
【００３０】
ここで、このようなデジタルオーディオ信号の音声帯域を分割して複数の低レートインタフェースを複数用いて送受する技術は、オーディオ処理装置２において、異なるサンプリング周波数のオーディオソース装置１に容易に対応することができる点で利点ある技術である。
【００３１】
すなわち、たとえば、以上のように１９２ｋＨｚのサンプリング周波数を用いるのではなく、９６ｋＨｚのサンプリング周波数を用いるオーディオソース装置１は、送信処理部１２に０−２４ｋＨｚの音声帯域を割り当てた系統と、２４−４８ＫＨｚの音声帯域を割り当てた系統のみを備え、２つの低レートインタフェースを用いてデジタルオーディオ信号を送信するようにして良く、このようにしても、オーディオ処理装置２側に何の変更を加えることなくデジタルオーディオ信号の送受を行うことができる。ただし、この場合には、オーディオ処理装置２の加算機において、０−２４ｋＨｚの音声帯域を割り当てた系統のサブバンド復元部２６の出力と、２４−４８ＫＨｚの音声帯域を割り当てた系統のサブバンド復元部２６の出力のみを加算するようしても良い。
【００３２】
さて、このような異なるサンプリング周波数を用いるオーディオソース装置１と、デジタルオーディオ処理装置がデジタルオーディオ信号を送受する利点は、たとえば、図３ａや図３ｂに示すように、デジタルオーディオ処理装置に、異なる複数のサンプリング周波数を用いるオーディオソース装置１を接続し、デジタルオーディオ信号の送信元となるオーディオソース装置１を適宜切り替えるようなオーディオシステムにおいて顕著に現れる。
【００３３】
図３ａのオーディオシステムは、オーディオ処理装置２に、複数のオーディオソース装置１を各々そのサンプリング周波数に応じた数の低レートインタフェースで接続し、オーディオ処理装置２に設けた入力セレクタ３０１で、受信処理部２２に中継する、低レートインタフェースを切り替えることにより、デジタルオーディオ信号の送信元となるオーディオソース装置１を切り替えるものである。
【００３４】
また、図３ｂは、オーディオ処理装置２に複数のオーディオソース装置１を順次ディジーチェイン接続し、各オーディオソース装置１において、オーディオソース装置１に設けた出力セレクタ３０２において、自オーディオソース装置のデジタルオーディオ信号をオーディオ処理装置２側に送信するか、オーディオ処理装置２と反対側のオーディオソース装置１から入力するデジタルオーディオ信号をオーディオ処理装置２側に中継するかを切り替えることにより、オーディオ処理装置２に送信されるデジタルオーディオ信号の送信元のオーディオソース装置１を切り替えるものである。
【００３５】
【発明の効果】
以上のように、本発明によれば、より低コストで、高信頼性を持って、オーディオ装置間で高サンプリング周波数のデジタルオーディオ信号の送受を実現することができる。
【図面の簡単な説明】
【図１】本発明の実施形態に係るオーディオシステムの構成を示しブロック図である。
【図２】本発明の実施形態に係るオーディオシステムにおけるデジタルインタフェースのデータフォーマットを示す図である。
【図３】本発明の実施形態に係るオーディオシステムの他の構成を示しブロック図である。
【符号の説明】
１：オーディオソース装置、２：オーディオ処理装置、１１：オーディオソース部、１２：送信処理部、１３：オーディオ制御部、１４：分析フィルタバンク、１５：サブバンド符号化部、１６：デジタルインタフェース送信部、２１：オーディオ処理部、２２：受信処理部、２３：主制御部、２４：加算部、２５：合成フィルタバンク、２６：サブバンド復元部、２７：デジタルインタフェース受信部、１５１：バンドパスフィルタ、１５２：ダウンサンプリング部、１６１：フレーミング部、１６２：送信部、２６１：アップサンプリング部、２７１：受信部、２７２：デフレーミング部、３０１：入力セレクタ、３０２：出力セレクタ。
【図１】
2004085604.tif 000003
【図２】
2004085604.tif 000004
【図３】
2004085604.tif 000005